(57)【特許請求の範囲】
【請求項１】
それぞれ異なる複数の接続回線を収容する中継装置において、
収容する上記各接続回線の接続制御を行なう複数の回線制御手段と、
上記各接続回線のいずれかからリアルタイム通信信号が与えられると、そのリアルタイム通信信号を終端し、当該リアルタイム通信信号のヘッダに含まれる、少なくとも、シーケンス番号、タイムスタンプ値及び送信元識別子に基づいて送信順序の通りのリアルタイム通信信号を通信先又は通信元毎に一時的に保持する信号終端制御手段と、
当該中継装置内の上記各回線制御手段間で中継する内部パス接続情報を保持する内部パス接続情報保持手段と、
上記内部パス接続情報に基づいて通信先とする上記回線制御手段に、上記信号終端制御手段で保持される送信順序通りのシーケンス番号、タイムスタンプ値及び送信元識別子としたヘッダを有する上記リアルタイム通信信号を送出する内部パス接続手段と
を備えることを特徴とする中継装置。
【請求項２】
保留音を送出する保留音送出手段を備え、上記保留音送出手段が上記各回線制御手段とパス接続を形成することを特徴とする請求項１に記載の中継装置。
【請求項３】
上記内部パス接続情報保持手段は、収容端末の通話中に転送要求又は着信があったときに、上記内部パス接続情報の内容を変更することを特徴とする請求項１又は２に記載の中継装置。
【請求項４】
それぞれ異なる複数の接続回線を収容する中継装置の中継方法において、
複数の回線制御手段がそれぞれ収容する上記各接続回線の接続制御を行なう回線制御工程と、
信号終端制御手段が、上記各接続回線のいずれかからリアルタイム通信信号が与えられると、そのリアルタイム通信信号を終端し、当該リアルタイム通信信号のヘッダに含まれる、少なくとも、シーケンス番号、タイムスタンプ値及び送信元識別子に基づいて送信順序の通りのリアルタイム通信信号を通信先又は通信元毎に一時的に保持する信号終端制御工程と、
内部パス接続情報保持手段が、当該中継装置内の上記各回線制御手段間で中継する内部パス接続情報を保持する内部パス接続情報保持工程と、
内部パス接続手段が、上記内部パス接続情報に基づいて通信先とする上記回線制御手段に、上記信号終端制御手段で保持される送信順序通りのシーケンス番号、タイムスタンプ値及び送信元識別子としたヘッダを有する上記リアルタイム通信信号を送出する内部パス接続工程と
を備えることを特徴とする中継方法。
【発明の詳細な説明】
【技術分野】
【０００１】
本発明は、中継装置及び中継方法に関し、例えば、複数の電話端末を収容可能なブロードバンドルータ機器に適用して好適なものである。
【背景技術】
【０００２】
近年、例えばＩＰ（Internet  Protocol）ネットワーク上で音声通話を実現するＶｏＩＰ（Voice  Over  Internet  Protocol）技術が急速に普及しており、これに応じて種々のＶｏＩＰ対応の装置が登場している（特許文献１参照）。
【０００３】
特許文献１には、通話中着呼応答処理手段が、通話中に着呼する相手電話端末に対して所定の通話中着呼応答処理を行なうことにより、相手電話端末側の便宜を図かり、ＩＰ電話端末の利便性を向上させるＩＰ端末装置に関する技術が開示されている。
【０００４】
また、図２は、例えばインターネットに代表されるブロードバンドネットワーク５０に接続するブロードバンドルータ１０を含む音声通信ネットワークの構成例を示す。
【０００５】
図２において、ブロードバンドルータ１０は、アナログ収容回線と接続してアナログ電話機２０や、ＬＡＮ回線と接続してＬＡＮ収容電話端末３０や、無線接続による無線ＬＡＮ電話端末４０等を収容し、アナログ電話機２０、ＬＡＮ収容電話端末３０又は無線ＬＡＮ収容電話端末４０と、インターネット５０側との間の音声パケットの交換処理を行っている。
【０００６】
【特許文献１】特開２００５−０６５０４９号公報
【発明の開示】
【発明が解決しようとする課題】
【０００７】
ところで、上述したＶｏＩＰ対応の装置が、アナログ電話機２０と外線の電話機との間の通話を実現するとき、音声アナログ信号のデジタル化処理とＩＰパケット化処理が必要となる。
【０００８】
また、上述した従来のＶｏＩＰ対応のブロードバンドルータ１０は、インターネット５０側との外線通信を行なう場合、音声データを含むＲＴＰ（Real−Time  Transport  Protocol）パケットの制御を、処理負荷が大きいＮＡＰＴ（Network  Address  Port  Translation）処理により行っている。
【０００９】
従って、従来のブロードバンドルータ１０は、上述のように、アナログ電話機２０やＬＡＮ収容電話端末３０、４０など複数収容することは可能であるが、ＬＡＮ（無線ＬＡＮを含む）収容電話端末３０、４０を用いる場合には、ブロードバンドルータのＷＡＮ側受信ポートとＬＡＮ側受信ポートとを処理負荷の大きいＮＡＰＴ接続することにより、ＲＴＰパケット制御を実施していた。
【００１０】
そのため、アナログ回線収容電話機とＬＡＮ（無線ＬＡＮを含む）収容電話端末の同時利用、及び、アナログ回線収容電話機とＬＡＮ（無線ＬＡＮを含む）収容電話端末間での内線通話が必要となるサービスに制限があった。つまり、例えば、収容電話端末を２台以上使用する外線同時通話、内線相互通話、外線の内線間転送などができない問題点があった。
【００１１】
そこで、上記課題を解決すべく、収容する端末間の中継に係る処理負荷を軽減して、種々の通信形態にも柔軟に対応することができる中継装置及び中継方法が望まれている。
【課題を解決するための手段】
【００１２】
かかる課題を解決するために、第１の本発明の中継装置は、それぞれ異なる複数の接続回線を収容する中継装置において、（１）収容する各接続回線の接続制御を行なう複数の回線制御手段と、（２）各接続回線のいずれかからリアルタイム通信信号が与えられると、そのリアルタイム通信信号を終端し、当該リアルタイム通信信号のヘッダに含まれる、少なくとも、シーケンス番号、タイムスタンプ値及び送信元識別子に基づいて送信順序の通りのリアルタイム通信信号を通信先又は通信元毎に一時的に保持する信号終端制御手段と、（３）当該中継装置内の各回線制御手段間で中継する内部パス接続情報を保持する内部パス接続情報保持手段と、（４）内部パス接続情報に基づいて通信先とする回線制御手段に、上記信号終端制御手段で保持される送信順序通りのシーケンス番号、タイムスタンプ値及び送信元識別子としたヘッダを有するリアルタイム通信信号を送出する内部パス接続手段とを備えることを特徴とする。
【００１３】
第２の本発明の中継方法は、それぞれ異なる複数の接続回線を収容する中継装置の中継方法において、（１）複数の回線制御手段がそれぞれ収容する各接続回線の接続制御を行なう回線制御工程と、（２）信号終端制御手段が、各接続回線のいずれかからリアルタイム通信信号が与えられると、そのリアルタイム通信信号を終端し、当該リアルタイム通信信号のヘッダに含まれる、少なくとも、シーケンス番号、タイムスタンプ値及び送信元識別子に基づいて送信順序の通りのリアルタイム通信信号を通信先又は通信元毎に一時的に保持する信号終端制御工程と、（３）内部パス接続情報保持手段が、当該中継装置内の各回線制御手段間で中継する内部パス接続情報を保持する内部パス接続情報保持工程と、（４）内部パス接続手段が、内部パス接続情報に基づいて通信先とする回線制御手段に、上記信号終端制御手段で保持される送信順序通りのシーケンス番号、タイムスタンプ値及び送信元識別子としたヘッダを有するリアルタイム通信信号を送出する内部パス接続工程とを備えることを特徴とする。
【発明の効果】
【００１４】
本発明の中継装置及び中継方法によれば、受信したリアルタイム通信信号を終端し、パス接続情報に基づいてそのリアルタイム通信信号を通信先ポートに送出することにより、収容する端末間の中継に係る処理負荷を軽減して、柔軟な通信形態にも対応することができる。
【発明を実施するための最良の形態】
【００１５】
（Ａ）第１の実施形態
以下、本発明の中継装置及び中継方法の第１の実施形態を、図面を参照しながら説明する。
【００１６】
（Ａ−１）第１の実施形態の構成
図２は、ブロードバンドルータを含む音声通信ネットワークの全体構成を示すブロック図であり、従来の音声通信ネットワーク構成と同様である。
【００１７】
図２において、本実施形態の音声通信ネットワーク１は、例えばインターネットに代表されるブロードバンドネットワーク５０に接続するブロードバンドルータ１０、アナログ電話機２０、ＬＡＮ収容電話端末３０、無線ＬＡＮ収容電話端末４０を少なくとも有して構成される。
【００１８】
また、ブロードバンドルータ１０は、ブロードバンドネットワーク５０と接続すると共に、アナログ回線、ＬＡＮ回線、無線回線と接続可能であり、外線側の電話機、アナログ電話機２０、ＬＡＮ収容電話端末３０、無線ＬＡＮ収容電話端末４０を収容し得る。そして、ブロードバンドルータ１０は、これら収容端末２０、３０、４０とブロードバンドネットワーク５０側の電話機との間で授受される通信信号の中継処理を行なうものである。
【００１９】
図１は、本実施形態のブロードバンドルータ１０の内部構成を示すブロック図である。
【００２０】
図１に示すように、本実施形態のブロードバンドルータ１０は、制御部１１、ブロードバンドネットワーク側回線制御部１２、無線ＬＡＮ側回線制御部１３、ＬＡＮ側回線制御部１４、ＳＬＩＣ（Subscriber  Line  Interface  Circuit）部１５、ＤＳＰ部１６を少なくとも有する。
【００２１】
制御部１１は、ブロードバンドルータ１０が実現する機能を実行するものである。制御部１１は、ブロードバンドネットワーク側回線制御部１２、無線ＬＡＮ側回線制御部１３、ＬＡＮ側回線制御部１４及びＤＳＰ部１６と接続し、ブロードバンドネットワーク側回線制御部１２、無線ＬＡＮ側回線制御部１３、ＬＡＮ側回線制御部１４及びＤＳＰ部１６が通話パケットを受信した際、受信した通話パケットのＲＴＰパケットを終端させるものである。また、制御部１１は、受信したＲＴＰパケットを適切な通信先の接続回線の接続ポートに送出するものである。
【００２２】
なお、制御部１１のハードウェア構成は、例えば、ＣＰＵ、ＲＯＭ、ＲＡＭ、不揮発性の書き込み可能メモリ（例えば、ＥＥＰＲＯＭ等）から構成される。また、制御部１１が実現する機能は、例えば、ＣＰＵが、ＲＡＭをワークエリアとし、ＲＯＭに格納されている固定データや不揮発性メモリに格納されているテンポラリデータを用いて、ＲＯＭに格納されている処理プログラムを実行することで実現される。
【００２３】
図３は、制御部１１の内部構成を示す機能ブロック図である。図３に示すように、本実施形態の制御部１１の主な機能は、パス接続情報作成機能部１１１、ＲＴＰパケット終端処理機能部１１２、パス接続処理機能部１１３を少なくとも有する。また、制御部１１は、ルーティングテーブル１１５、パス接続情報管理テーブル１１６を有する。
【００２４】
パス接続情報作成機能部１１１は、ブロードバンドルータ１０内部における各接続回線のパス接続情報を作成し、その作成したパス接続情報をパス接続情報管理テーブル１１６に保持するものである。このパス接続情報作成機能部１１１によるパス接続情報の作成方法は、種々の方法が考えられるが、例えば、呼確立処理等のＲＴＰより上位層プロトコルの処理にパス情報をパス接続情報作成機能部１１１に通知する処理を組み込むことにより、通知された情報からパス接続情報の作成、変更、消去ができる。
【００２５】
ここで、図４は、パス接続情報管理テーブル１１６の構成例を説明する説明図である。図４のパス接続情報は、ブロードバンドルータ１０内の各回線制御部１２〜１５の接続ポート番号で作成されたものを示す。
【００２６】
また、図４の例は、例えば、アナログ電話機２０とインターネット５０側の外線電話機（ここでは図示しない）との間のパス接続情報であり、アナログ回線側の接続ポートＰ２の１つ目のポートＰ２＿０とブロードバンドネットワーク側の接続ポートＰ５の１つ目のポートＰ５＿０とを対応付けた「Ｐ２＿０−Ｐ５＿０」という情報とする。
【００２７】
また例えば、ＬＡＮ収容電話端末３０とインターネット５０側の外線電話機（ここでは図示しない）との間のパス接続情報であり、ＬＡＮ側の接続ポートＰ３の１つ目のポートＰ３＿０とブロードバンドネットワーク側の接続ポートＰ５の２つ目のポートＰ５＿１とを対応付けた「Ｐ３＿０−Ｐ５＿１」という情報とするとする。
【００２８】
ＲＴＰパケット終端処理機能部１１２は、いずれかの収容接続回線から通話パケットが到来すると、ブロードバンドネットワーク側回線制御部１２、無線ＬＡＮ側回線制御部１３、ＬＡＮ側回線制御部１４、ＤＳＰ部１６のいずれかから受信した通話パケットのＲＴＰパケットを終端するものである。
【００２９】
すなわち、ＲＴＰパケット終端処理機能部１１２は、ブロードバンドネットワーク側回線制御部１２、無線ＬＡＮ側回線制御部１３、ＬＡＮ側回線制御部１４、ＤＳＰ部１６のいずれからのＲＴＰパケットを受信すると、送信元ポートを基にパス接続情報管理テーブル１１６から送信先ポートを特定する。また、受信したそれらＲＴＰパケットを一時的に記憶し、収集したＲＴＰパケットのＲＴＰヘッダに含まれている少なくともシーケンス番号、タイムスタンプ値及び送信元識別子（ＳＳＲＣ）に基づいて送信順序の通りのＲＴＰパケットを保持する。
【００３０】
また、ＲＴＰパケット終端処理機能部１１２は、後述するパス接続処理機能部１１３と連携して、保持しているＲＴＰパケットを送信されてきた順序通りに、送信先端末に接続する接続ポート番号へ与えて、送信先端末にＲＴＰパケットを送信させる。
【００３１】
また、複数の通話が同時に利用されている場合には、各通信元又は各通信元毎の音声信号を、通信先又は通信元毎に一時的に保持できるようにしてもよい。また、ＲＴＰパケット終端処理機能部１１２は、受信品質を監視し、その監視結果を送信側にフィードバックする送信調整機能を有してもよく、複数の同時通話の場合には、各通話毎の送信調整機能を有するようにしてもよい。
【００３２】
ここで、図５は、ＲＴＰパケットの構造例を説明する説明図である。図５に示すように、ＲＴＰパケット５００は、ＩＰヘッダ５１０、ＵＤＰヘッダ５２０、ＲＴＰヘッダ５３０及び音声データ５４０を有して構成される。
【００３３】
また、図６は、ＲＴＰヘッダ５３０の構造例を説明する説明図である。図６に示すように、ＲＴＰヘッダ５３０は、バージョン（Ｖ）、パディング（Ｐ）、拡張ヘッダ（Ｘ）、ＣＳＲＣ識別子の数（ＣＣ）、マーカー（Ｍ）、ペイロード・タイプ（ＰＴ）、シーケンス番号、タイムスタンプ、同期送信元（ＳＳＲＣ）識別子、寄与送信元（ＣＳＲＣ）識別子を有して構成される。
【００３４】
パス接続処理機能部１１３は、ブロードバンドネットワーク側回線制御部１２、無線ＬＡＮ側回線制御部１３、ＬＡＮ側回線制御部１４、ＤＳＰ部１６のいずれかから終端したＲＴＰパケットを、パス接続情報管理テーブル１１６を参照して、送信先の接続ポート番号を割り出し、ＲＴＰパケット終端処理機能部１１２が保持するＲＴＰパケットを、接続ポート番号に対応する接続ポートに送出するものである。
【００３５】
ルーティングテーブル１１５は、受け取った通話パケットの経路情報を格納するものであり、ＩＰアドレスが登録されている既存のものを適用することができる。
【００３６】
次に、図１に戻り、無線ＬＡＮ側回線制御部１３について説明する。無線ＬＡＮ側回線制御部１３は、例えば、無線ＬＡＮボードなどが該当する無線装置である。無線ＬＡＮ側回線制御部１３は、到来した無線電波を捕捉し、所定の復調処理を施し、復調したＲＴＰパケットを制御部１１に与えるものである。また、無線ＬＡＮ側回線制御部１３は、制御部１１から与えられたＲＴＰパケットに対して所定の変調処理を施し、無線送信するものである。
【００３７】
ＬＡＮ側回線制御部１４は、ＬＡＮ回線を通じてＬＡＮ収容電話端末３０から通話パケットを受信すると、その通話パケットに含まれるＲＴＰパケットを制御部１１に与えるものである。また、ＬＡＮ側回線制御部１４は、制御部１１から与えられたＲＴＰパケットを所定のフレーム形式に変換し、ＬＡＮ回線を通じてＬＡＮ収容電話端末３０に送信するものである。
【００３８】
ＳＬＩＣ部１５は、アナログ回線側との送受信処理を制御するものであり、アナログ電話機２０からのオンフック又はオフフックの取り込み、アナログ電話機２０との接続処理、アナログ電話機２０の発呼に伴うダイヤルの取り込み、アナログ電話機２０への着信に伴うリンガ鳴動等を行なうものである。ＳＬＩＣ部１５は、アナログ電話機２０から受信した音声アナログ信号をＤＳＰ部１６に与える。また、ＳＬＩＣ部１５は、ＤＳＰ部１６から与えられた音声アナログ信号をアナログ電話機２０に与える。
【００３９】
ＤＳＰ部１６は、ＳＬＩＣ部１５から与えられた音声アナログ信号を音声デジタルデータに変換し、所定の形式のＲＴＰパケットを形成して、その形成したＲＴＰパケットを制御部１１に与えるものである。また、ＤＳＰ部１６は、制御部１１からのＲＴＰパケットに含まれる音声デジタルデータを音声アナログ信号に変換し、ＳＬＩＣ部１５に与えるものである。
【００４０】
（Ａ−２）第１の実施形態の動作
次に、第１の実施形態のブロードバンドルータ１０における動作について図面を参照して説明する。
【００４１】
以下では、まず、ブロードバンドルータ１０にＲＴＰパケットが与えられた場合の動作を、図７のフローチャートを参照して説明する。
【００４２】
図７において、ブロードバンドネットワーク、無線ＬＡＮ回線、ＬＡＮ回線又はアナログ回線のいずれかを通じて、通話信号がブロードバンドルータ１０に与えられると、ブロードバンドネットワーク側回線制御部１２、無線ＬＡＮ側回線制御部１３、ＬＡＮ側回線制御部１４又はＤＳＰ部１６はＲＴＰパケットを制御部１１に与える（Ｆ１）。
【００４３】
ＲＴＰパケットが制御部１１に与えられると、制御部１１は受信したＲＴＰパケットを終端させる。
【００４４】
すなわち、制御部１１は、収集したＲＴＰパケットの正確性を検証し、正確なＲＴＰパケットを、例えば入力キュー（図示しない）等に一時的に保持する。そして、制御部１１は、一時的に保持されたＲＴＰパケットに欠落があるか否かを判定し、欠落がある場合には、パケット欠落の訂正を行なう（Ｆ２）。
【００４５】
そして、制御部１１は、ＲＴＰパケットのＲＴＰヘッダに含まれている、少なくともシーケンス番号、タイムスタンプ値及びＳＳＲＣに基づいてＲＴＰパケットの送信順序を修正する（Ｆ３）。
【００４６】
このとき、複数の通話が同時に行なわれている場合、制御部１１は、各送信元又は各送信先毎の入力キューを用意し、各送信元又は各送信先毎に、ＲＴＰパケットの終端処理を行なうことができる。
【００４７】
また、制御部１１は、パス接続情報管理テーブル１１６を参照して、当該ＲＴＰパケットの送信先の回線ポートを検出し、その回線ポートにＲＴＰパケットを送出する（Ｆ５）。
【００４８】
これにより、ブロードバンドネットワーク側回線制御部１２、無線ＬＡＮ側回線制御部１３、ＬＡＮ側回線制御部１４、ＳＬＩＣ部１５は、各接続回線に応じた所定形式に変換した音声信号を、送信先の収容端末２０、３０、４０等に対して送信することができる。
【００４９】
続いて、図８に示すネットワーク構成において、アナログ電話機２０と電話機６０との間の外線ＶｏＩＰ通話と、ＬＡＮ収容電話端末３０と電話機７０との間の外線ＶｏＩＰ通話を行なう場合（すなわち、複数の同時通話）のシーケンスについて、図９を参照して説明する。
【００５０】
図９において、まず、アナログ電話機２０と外線側の電話機６０との間で、所定のシグナリングにより、呼が確立する（Ｓ１０１）。
【００５１】
アナログ電話機２０と電話機６０との間での呼確立後、例えば、外線側の電話機６０からアナログ電話機２０宛の通話パケットがブロードバンドルータ２０に与えられる（Ｓ１０２）。
【００５２】
このとき、ブロードバンドルータ１０はブロードバンドルータ１０内でＲＴＰパケットを授受する回線ポートのパス接続情報を保持している（Ｓ１０３）。
【００５３】
すなわち、ブロードバンドルータ１０は、ＤＳＰポートとブロードバンドネットワーク側回線制御部１２のポートとを対応付けたパス接続情報を保持する。
【００５４】
そして、ブロードバンドルータ１０は、外線電話機６０からアナログ電話機20宛の通話パケットを受信すると、図７で説明したＲＴＰパケットの終端処理を行なう（Ｓ１０４）。
【００５５】
すなわち、ブロードバンドルータ１０内において、ブロードバンドネットワーク側回線制御部１２が受信した電話機６０からのＲＴＰパケットを終端し、受信したＲＴＰパケットをパス接続情報に基づいてＤＳＰ１６に与える。そして、ＤＳＰ部１６が音声デジタルデータを音声アナログ信号に変換して、音声アナログ信号を、ＳＬＩＣ部１５を介してアナログ電話機２０に与える（Ｓ１０５）。
【００５６】
なお、ここでは、電話機６０からアナログ電話機２０への送信について説明したが、両者間で双方向の送受信が同様の処理により行なわれる。
【００５７】
一方、ＬＡＮ収容端末３０と外線側の電話機７０との間でも、所定のシグナリングが行われ、両者間に呼が確立する（Ｓ１０６）。
【００５８】
ＬＡＮ収容電話端末３０と電話機７０との間での呼確立後、例えば、ＬＡＮ収容電話端末３０から電話機７０宛の通話パケットがブロードバンドルータ２０に与えられる（Ｓ１０７）。
【００５９】
このとき、ブロードバンドルータ１０は、ブロードバンドルータ１０内でＲＴＰパケットを授受する回線ポートのパス接続情報を保持している（Ｓ１０８）。
【００６０】
すなわち、ブロードバンドルータ１０は、ＬＡＮ側回線制御部１４のポートとブロードバンドネットワーク側回線制御部１２のポートとを対応付けたパス接続情報を保持する。
【００６１】
そして、ブロードバンドルータ１０は、ＬＡＮ収容電話端末３０から電話機７０宛の通話パケットを受信すると、図７で説明したＲＴＰパケットの終端処理を行なう（Ｓ１０９）。
【００６２】
すなわち、ブロードバンドルータ１０内において、ＬＡＮ側回線制御部１４が受信したＬＡＮ電話端末３０からのＲＴＰパケットを終端し、受信したＲＴＰパケットをパス接続情報に基づいてブロードバンドネットワーク側回線制御部１２に与える。そして、ブロードバンドネットワーク側回線制御部１２が受け取ったＲＴＰパケットに所定のヘッダ情報を付加して所定のパケットに変換し、ブロードバンドネットワーク５０を介して電話機７０に与える（Ｓ１１０）。
【００６３】
なお、ここでは、ＬＡＮ電話端末３０から電話機７０への送信について説明したが、両者間で双方向の送受信が同様の処理により行なわれる。
【００６４】
（Ａ−３）第１の実施形態の効果
以上のように、本実施形態によれば、ブロードバンドルータ１０がＲＴＰパケットの終端機能を有する制御部１１を有することにより、外線同時通話、つまり外線２通話同時利用が可能となる。
【００６５】
（Ｂ）第２の実施形態
次に、本発明の中継装置及び中継方法の第２の実施形態を図面を参照しながら説明する。
【００６６】
第２の実施形態では、ブロードバンドルータ１０が収容するアナログ電話機２０又はＬＡＮ電話端末３０、４０間の内線相互通話を実現する場合を説明する。
【００６７】
なお、第２の実施形態のブロードルータ１０の内部構成は、第１の実施形態と同様であるので、詳細な説明は省略する。
【００６８】
図８に示すネットワーク構成において、アナログ電話機２０とＬＡＮ収容電話端末３０との間の内線ＶｏＩＰ通話を行なう場合のシーケンスについて、図１０を参照して説明する。
【００６９】
図１０において、まず、アナログ電話機２０とＬＡＮ収容電話端末３０との間で、所定のシグナリングにより、呼が確立する（Ｓ２０１）。
【００７０】
アナログ電話機２０とＬＡＮ収容電話端末３０との間での呼確立後、例えば、ＬＡＮ収容電話端末３０からアナログ電話機２０宛の通話パケットがブロードバンドルータ２０に与えられる（Ｓ２０２）。
【００７１】
このとき、ブロードバンドルータ１０はブロードバンドルータ１０内でＲＴＰパケットを授受する回線ポートのパス接続情報を保持している（Ｓ１０３）。
【００７２】
すなわち、ブロードバンドルータ１０は、ＤＳＰポートとＬＡＮ側回線制御部１４のポートとを対応付けたパス接続情報を保持する。
【００７３】
そして、ブロードバンドルータ１０は、ＬＡＮ収容電話端末３０からアナログ電話機２０宛の通話パケットを受信すると、図７で説明したＲＴＰパケットの終端処理を行なう（Ｓ２０４）。
【００７４】
すなわち、ブロードバンドルータ１０内において、ＬＡＮ側回線制御部１４が受信したＬＡＮ収容電話端末３０からのＲＴＰパケットを終端し、受信したＲＴＰパケットをパス接続情報に基づいてＤＳＰ１６に与える。そして、ＤＳＰ部１６が音声デジタルデータを音声アナログ信号に変換して、音声アナログ信号を、ＳＬＩＣ部１５を介してアナログ電話機２０に与える（Ｓ１０５）。
【００７５】
なお、ここでは、ＬＡＮ収容電話端末３０からアナログ電話機２０への送信について説明したが、両者間で双方向の送受信が同様の処理により行なわれる。
【００７６】
（Ｂ−３）第２の実施形態の効果
以上のように、本実施形態によれば、第１の実施形態と同様にして、ブロードバンドルータが１０が収容する電話端末間の内線相互通話が可能となる効果が得られる。
【００７７】
（Ｃ）第３の実施形態
次に、本発明の中継装置及び中継方法の第３の実施形態を図面を参照しながら説明する。
【００７８】
図１１は、本実施形態のブロードバンドルータの内部構成を示すブロック図である。
【００７９】
図１１に示すように、本実施形態のブロードバンドルータ１００は、制御部１１、ブロードバンドネットワーク側回線制御部１２、無線ＬＡＮ側回線制御部１３、ＬＡＮ側回線制御部１４、ＳＬＩＣ部１５、ＤＳＰ部１６、保留音送出部１７を少なくとも有する。
【００８０】
本実施形態のブロードバンドルータ１００が第１の実施形態のブロードバンドルータ１０と異なる点は、本実施形態のブロードバンドルータ１００が保留音送出部１７を有する点である。
【００８１】
保留音送出部１７は、ＤＳＰ部１６に接続するものであり、保留音を送出するものである。
【００８２】
また、ＤＳＰ部１６は、第１の実施形態の機能に加えて、保留音送出部１７の動作を制御する機能も有し、保留音送出部１７と接続するための接続ポートを有する。
【００８３】
さらに、制御部１１は、保留音送出部１７の接続ポートも含めて、パス接続情報の保持及びパス接続処理を行なうものである。
【００８４】
次に、本実施形態のブロードバンドルータ１００の動作について図面を参照して説明する。
【００８５】
図１２は、ブロードバンドルータ１００による外線の内線転送処理のシーケンスを示す。
【００８６】
以下では、図８のネットワーク構成において、アナログ電話機２０と外線側の電話機６０の通話中に、アナログ電話機２０からＬＡＮ収容電話端末３０に転送する場合を示す。
【００８７】
図１２において、まず、アナログ電話機２０と外線側の電話機６０との間のＶｏＩＰ通話は、第１の実施形態で説明したように行なわれる（Ｓ３０１〜Ｓ３０４）。
【００８８】
すなわち、ブロードバンドルータ１０は、ＤＳＰ部１６のポートとブロードバンドネットワーク側回線制御部１２のポートとを対応付けたパス接続情報を保持する。
【００８９】
その後、アナログ電話機２０からブロードバンドルータ１００に転送指示信号及び保留音送出通知信号が与えられると（Ｓ３０５）、ブロードバンドルータ１００は、パス接続情報を変更する（Ｓ３０６）。
【００９０】
すなわち、ブロードバンドルータ１００は、保留音送出フラグをＯＮにし、ＤＳＰ部１６のアナログ電話機のポートとＬＡＮ側回線制御部１４のポートとを対応付けたパス接続情報と、ＤＳＰ部１６の保留音ポートとブロードバンドネットワーク側回線制御部１２のポートを対応付けたパス接続情報とを保持する。
【００９１】
また、ブロードバンドルータ１００は、ＤＳＰ部１６のアナログ電話ポート、ＬＡＮ側回線制御部１４のポート、ブロードバンドネットワーク側回線制御部１２のポートに受信するＲＴＰパケットを終端して（Ｓ３０７）、外線の電話機６０に保留音を送出しながら、アナログ電話機２０とＬＡＮ収容電話端末３０との間の内線ＶｏＩＰ通話を行なう（Ｓ３０８、Ｓ３０９）。
【００９２】
これにより、ブロードバンドルータ１００は、ＤＳＰ部１６の保留音ポートから保留音を受け取ると、パス接続情報に基づいて保留音をブロードバンドネットワーク側回線接続部１２に与えて、保留音データを含む所定のパケットを外線側の電話機６０に対して送出することができる。
【００９３】
その際、保留音を含むＲＴＰパケットのＲＴＰヘッダの少なくともシーケンス番号、タイムスタンプ値及びＳＳＲＣをアナログ電話機２０からのＲＴＰパケットの続きとして引き継がせるため、シーケンス番号、タイムスタンプ値及びＳＳＲＣの張替えをする。
【００９４】
なお、ブロードバンドネットワーク側回線制御部１２からのＲＴＰパケットは、ＤＳＰ部１６の保留音ポートに送る必要がないため、ブロードバンドルータ１００で終端して、破棄する。
【００９５】
内線転送元のアナログ電話機２０から転送ＯＮ信号及び保留音停止信号がブロードバンドルータ１００に与えられると（Ｓ３１１）、ブロードバンドルータ１００は、ＬＡＮ側回線制御部１４のポートとブロードバンドネットワーク側回線制御部１２のポートとを対応付けたパス接続情報に変更する（Ｓ３１２）。
【００９６】
そして、ブロードバンドルータ１００は、ＬＡＮ側回線制御部１４のポート及びブロードバンド回線制御部１２のポートでＲＴＰパケットを終端して（Ｓ３１３）、ＬＡＮ収容電話端末３０と電話機６０との間の外線ＶｏＩＰ通話を実現させる（Ｓ３１４）。
【００９７】
その際、同様にブロードバンドネットワーク側回線制御部１２のポートへのＲＴＰヘッダを、保留音を含むＲＴＰパケットの続きとして引き継がせるために、少なくともシーケンス番号、タイムスタンプ値及びＳＳＲＣの張替えをする。
【００９８】
（Ｃ−３）第３の実施形態の効果
以上のように、第３の実施形態によれば、各回線制御部とパス接続可能な保留音送出部１７を備えることにより、第１及び第２の実施形態と同様にして、ブロードバンドルータが１０が収容する電話端末間で外線の内線転送が可能となる効果が得られる。
【００９９】
（Ｄ）第４の実施形態
次に、本発明の中継装置及び中継方法の第４の実施形態を図面を参照しながら説明する。
【０１００】
第４の実施形態は、ブロードバンドルータ１００が、収容電話端末と外線電話機との間の外線ＶｏＩＰ通話中に、他の外線電話機がブロードバンドルータの収容電話端末に対して着信を受けた場合の通話中着信処理を実現する場合を説明する。
【０１０１】
なお、第４の実施形態のブロードルータ１００の内部構成は、第３の実施形態と同様であるので、詳細な説明は省略する。
【０１０２】
以下では、図８に示すネットワーク構成において、アナログ電話機２０と外線電話機６０との間の外線ＶｏＩＰ通話中、外線電話機７０からアナログ電話機２０宛の着信があった場合の処理を示す。
【０１０３】
図１３は、ブロードバンドルータ１００における通話中着信動作の処理を示すシーケンスである。
【０１０４】
図１３において、まず、アナログ電話機２０と外線電話機６０のとの間で、第１の実施形態で説明した外線ＶｏＩＰ通話を行っている（Ｓ４０１）。
【０１０５】
このとき、ブロードバンドルータ１００は、ＤＳＰ部１６のアナログ電話ポートとブロードバンドネットワーク側回線制御部１２のポートとを対応付けたパス接続情報を保持している。
【０１０６】
その後、外線電話機７０からアナログ電話機２０宛のＩＮＶＩＴＥがブロードバンドルータ１００に与えられると（Ｓ４０２）、ブロードバンドルータ１００は、そのＩＮＶＩＴＥに基づいて、通話中のアナログ電話機２０に対する着信であることを検出する（Ｓ４０３）。
【０１０７】
ブロードバンドルータ１００は、アナログ電話機２０への着信を検出すると、ＤＳＰ部１６のアナログ電話ポートに対してその旨を通知し、所定のプロトコルに従ってＳＬＩＣ部１５からアナログ電話機２０に対して着信の旨を通知する（Ｓ４０４）。
【０１０８】
着信通知を受けたアナログ電話機２０は、所定方式により、切替信号をブロードバンドルータ１００に与える（Ｓ４０５）。
【０１０９】
そうすると、ブロードバンドルータ１００は、保留音送出フラグをＯＮにして、パス接続情報を変更して（Ｓ４０６）、外線電話機６０に対して保留音を送出し（Ｓ４０７）、アナログ電話機２０と外線電話機７０との間で外線ＶｏＩＰ通話を実現する（Ｓ４０８）。
【０１１０】
すなわち、ブロードバンドルータ１００は、ＤＳＰ部１６の保留音ポートとブロードバンドネットワーク側回線制御部のポートとを対応付けたパス接続情報を保持することで、外線電話機６０に対して保留音を送出することができる。
【０１１１】
また、ブロードバンドルータ１００は、ＤＳＰ部１６のアナログ電話ポートとブロードバンドネットワーク側回線制御部のポートとを対応付けたパス接続情報を保持することで、アナログ電話機２０と外線電話機７０との間の外線ＶｏＩＰ通話を実現する。
【０１１２】
その際、第３の実施形態と同様に、ブロードバンドルータ１００は、必要に応じて、保留音を含むＲＴＰパケットの続きとして引き継がせるために、ＲＴＰヘッダの少なくともシーケンス番号、タイムスタンプ値及びＳＳＲＣの張替えをする。
【０１１３】
なお、アナログ電話機２０からの切替信号に応じて、ブロードバンドルータは、パス接続情報を変更して保持し、アナログ電話機２０と外線電話機６０との外線ＶｏＩＰ通話と、外線電話機７０への保留音送出ができる。
【０１１４】
このとき、ブロードバンドルータは、ＤＳＰ部１６のアナログ電話ポートとブロードバンドネットワーク側回線制御部のポートとを対応付けたパス接続情報と、ＤＳＰ部１６の保留音ポートとブロードバンドネットワーク側回線制御部のポートとを対応付けたパス接続情報とを保持する。
【０１１５】
（Ｄ−３）第４の実施形態の効果
以上のように、第４の実施形態によれば、外線の内線転送を実現することができる。
【０１１６】
（Ｅ）他の実施形態
第１〜第４の実施形態において、アナログ電話機２０、ＬＡＮ収容電話端末、無線ＬＡＮ集電話端末４０、外線電話機６０、７０の収容数や収容の組み合わせは特に限定されない。
【０１１７】
すなわち、第１の実施形態における外線ＶｏＩＰ通話数や、第２の実施形態の内線相互通話数は特に限定されない。
【０１１８】
また、第１〜第４の実施形態のブロードバンドルータ１０、１００内おける、アナログ電話ポート、ＬＡＮ側回線制御部１４のポート、無線ＬＡＮ側回線制御部１３のポート、ブロードバンドネットワーク側回線制御部１２のポートの設定数は特に限定されない。
【０１１９】
また、第３の実施形態では、外線の内線転送について説明したが、内線の内線転送や外線の保留処理や内線の保留処理に関しても同様の処理により実現することができる。
【０１２０】
第４の実施形態では、通話中の着信処理のレートしてキャッチホン処理を例に挙げて説明したが、キャッチホン処理に限定されず、他のサービスを行なうこともできる。
【０１２１】
また、第１〜第４の実施形態で説明した処理の全部又は一部を組み合わせた処理を広く適用することができる。
【０１２２】
例えば、外線複数同時通話と内線複数相互通話を同時利用している場合の外線の内線転送も可能であり、外線複数同時通話と内線複数相互通話時のキャッチホン着信も可能となる。
【０１２３】
上述した第１〜第４の実施形態では、ＲＴＰデータを音声データとして説明したが、例えば、動画像データ、静止画像データ、音響データ等）リアルタイム性が必要な他のデータを用いる通信システムにも適用できる。
【０１２４】
図２では、1個のブロードバンドルータ１０が収容するネットワーク構成例を示したが、ネットワーク構成は特に限定されず、例えば、複数のルータ同士が相互に収容しあい、複数の段数を形成する多段階層を形成してなるネットワーク構成であってもよい。
【０１２５】
上述した第１〜第４の実施形態では、ブロードバンドルータを本発明の中継装置として説明したが、本発明の中継装置は、それぞれ異なる接続回線網間の信号構成の交換処理を行なえる位置に介在するものであればルータに限定されず広く適用できる。
【図面の簡単な説明】
【０１２６】
【図１】第１の実施形態のブロードバンドルータの内部構成を示すブロック図である。
【図２】第１の実施形態のネットワーク構成を示す全体構成図である。
【図３】第１の実施形態の制御部の機能を説明する機能ブロック図である。
【図４】第１の実施形態のパス接続情報管理テーブルの構成例を説明する説明図である。
【図５】第１の実施形態のＲＴＰパケットの構造を説明する説明図である。
【図６】第１の実施形態のＲＴＰヘッダの構造を説明する説明図である。
【図７】第１の実施形態のブロードバンドルータの動作を示すフローチャートである。
【図８】第１の実施形態のネットワーク構成を説明する説明図である。
【図９】第１の実施形態の処理を示すシーケンスである。
【図１０】第２の実施形態の処理を示すシーケンスである。
【図１１】第２の実施形態のブロードバンドルータの内部構成を示すブロック図である。
【図１２】第３の実施形態の処理を示すシーケンスである。
【図１３】第４の実施形態の処理を示すシーケンスである。
【符号の説明】
【０１２７】
１…ネットワーク、１０、１００…ブロードバンドルータ、１１…制御部、１１１…パス接続情報作成機能部、１１２…ＲＴＰパケット終端処理機能部、１１３…パス接続処理機能部、１１５…ルーティングテーブル、１１６…パス接続情報管理テーブル、１２…ブロードバンドネットワーク側回線制御部、１３…無線ＬＡＮ側回線制御部、１４…ＬＡＮ側回線制御部、１５…ＳＬＩＣ部、１６…ＤＳＰ部、１７…保留音送出部。
【図１】
0004730052.tif 000002
【図２】
0004730052.tif 000003
【図３】
0004730052.tif 000004
【図４】
0004730052.tif 000005
【図５】
0004730052.tif 000006
【図６】
0004730052.tif 000007
【図７】
0004730052.tif 000008
【図８】
0004730052.tif 000009
【図９】
0004730052.tif 000010
【図１０】
0004730052.tif 000011
【図１１】
0004730052.tif 000012
【図１２】
0004730052.tif 000013
【図１３】
0004730052.tif 000014